(57)【要約】【課題】形状や製作工程の簡略化を図りつつ接合の解除をより良く認識可能とする。【解決手段】留め具（１）は、チェーン（２）の一端部に設けられた第１連結部（１０）と、他端部に設けられた第２連結部（２０）とを備える。第１及び第２連結部は磁性体（１１、２１）、一対の突部（１６、２６）及び突部及び磁性体の周面によって形成される一対の受容部（１７、２７）を備え、磁性体の磁力によって接合される。第１及び第２連結部は接合時に突部が受容部に受容され、突部が磁性体を挟む方向での相対変位が規制される。第１及び第２連結部を相対回転して各磁性体による接合の解除時に、突部と受容部とによって第１及び第２連結部を把持する指に瞬間的な衝撃を与える。磁性体の磁力と突部の受容部への受容とにより各連結部の接合が確実となる。各磁性体の磁着で簡単に各連結部を接合でき、磁着を解除し得る方向に各連結部を操作すれば接合解除を容易に行える。【選択図】図４
2017086407.tif 000002
【特許請求の範囲】
【請求項１】
長尺体の両端部を連結してループ状に形成する一方、該両端部の連結を解除して前記長尺体のループを開放する装身具用留め具において、
前記長尺体の一端部に設けられた第１連結部と、前記長尺体の他端部に設けられた第２連結部とを備え、
前記第１及び第２連結部は、磁性体と、該磁性体を挟む位置に形成された一対の突部と、該突部及び前記磁性体の周面によって形成される一対の受容部とをそれぞれ備え、前記磁性体の磁力によって相互に接合される一方、磁力に抗して離反することで接合が解除され、
前記第１及び第２連結部の接合時に、前記第１連結部の前記突部が前記第２連結部の前記受容部に受容され、且つ、前記第２連結部の前記突部が前記第１連結部の前記受容部に受容されて、前記突部が前記磁性体を挟む方向での前記第１及び第２連結部の相対変位を規制し、
前記第１及び第２連結部を相対回転して前記各磁性体による接合を解除するときに、前記突部と前記受容部とによって前記第１及び第２連結部を把持する指に瞬間的な衝撃を与えることを特徴とする装身具用留め具。
【請求項２】
前記第１及び第２連結部は、前記受容部に受容される前記突部を中心として相対回転する操作で接合を解除可能に設けられていることを特徴とする請求項１に記載の装身具用留め具。
【請求項３】
前記第１連結部の磁性体と前記第２連結部の磁性体とは、前記長尺体の両端部を結ぶ方向と前記突部が前記磁性体を挟む方向とのそれぞれに直交する方向で引き合うように配置されていることを特徴とする請求項１または請求項２に記載の装身具用留め具。
【発明の詳細な説明】
【技術分野】
【０００１】
本発明は、ネックレスやブレスレット等、ループ状にして用いる装身具に適用される装身具用留め具に関する。
【背景技術】
【０００２】
従来より、装身具のチェーン等の両端部に設けられる留め具として、例えば、特許文献１に開示されたものが知られている。特許文献１の留め具は、相対する平面を接合面として半円筒形状に形成された一対の連結金具を備えている。各連結金具は、接合面に埋まるように設けられた磁石と、接合面から突出する鉤型の掛止片と、接合面を凹ませて形成された凹部とをそれぞれ備え、各連結金具の磁石同士を磁着させることで接合状態となる。この接合状態では、一方の連結金具の掛止片が他方の連結金具の凹部に掛合され、他方の連結金具の掛止片が一方の連結金具の凹部に掛合される。
【０００３】
特許文献１では、接合した連結金具を分離する場合、両方の連結金具を中央側に押圧する。これにより、磁石の相互間をずらして吸引力を低下させ、その後、連結金具に形成された傾斜面同士を滑らせて磁石を相互に離している。
【先行技術文献】
【特許文献】
【０００４】
【特許文献１】特開平１１−２３５２２０号公報
【発明の概要】
【発明が解決しようとする課題】
【０００５】
しかしながら、特許文献１では、連結金具の接合面に掛止片と掛合するためだけの凹部、つまり掛止片専用の凹部を形成するので、形状や構造が複雑化するという問題がある。また、凹部を形成するため、連結金具を彫り込む工程が必要になったり、金型成形する場合には凹部から金型を抜く工程が必要になったりする。このため、作業負担が増大したり作業時間が長くなったりする等、生産性の低下を引き起こすという問題がある。
【０００６】
また、連結金具の接合を解除する場合、ユーザが連結金具を目視できないと、２つの連結金具の接合解除を認識するため、連結金具を持つ手の距離感に頼らざるを得なくなる。このため、ネックレス等にあっては、ユーザから留め具が目視できない場所（例えば、ユーザの首の後ろ等）で接合の解除が行われる場合が多くなるので、接合の解除が行われているか否かを目視でなくユーザに認識させることが特に重要となる。更に、留め具にあっては、２つの連結金具の接合を確実に行え、且つ、接合及びその解除の操作性を良好にすることが重要となる。
【０００７】
本発明はかかる点に鑑みてなされたものであり、形状や製作工程の簡略化を図ることができ、接合の解除をより良く認識させることができる装身具用留め具を提供することを目的とする。
【課題を解決するための手段】
【０００８】
本発明の装身具用留め具は、長尺体の両端部を連結してループ状に形成する一方、該両端部の連結を解除して前記長尺体のループを開放する装身具用留め具において、前記長尺体の一端部に設けられた第１連結部と、前記長尺体の他端部に設けられた第２連結部とを備え、前記第１及び第２連結部は、磁性体と、該磁性体を挟む位置に形成された一対の突部と、該突部及び前記磁性体の周面によって形成される一対の受容部とをそれぞれ備え、前記磁性体の磁力によって相互に接合される一方、磁力に抗して離反することで接合が解除され、前記第１及び第２連結部の接合時に、前記第１連結部の前記突部が前記第２連結部の前記受容部に受容され、且つ、前記第２連結部の前記突部が前記第１連結部の前記受容部に受容されて、前記突部が前記磁性体を挟む方向での前記第１及び第２連結部の相対変位を規制し、前記第１及び第２連結部を相対回転して前記各磁性体による接合を解除するときに、前記突部と前記受容部とによって前記第１及び第２連結部を把持する指に瞬間的な衝撃を与えることを特徴とする。
【０００９】
この構成によれば、磁性体や突部の周面によって受容部が形成されるので、従来のように専用の凹部を形成する場合に比べ、形状や工程の簡略化を図ることができ、生産性を高めることができる。また、突部と受容部とによって指先に瞬間的な衝撃を与えることができるので、接合が解除されたか否かの認識をより分かりやすくすることができる。しかも、各連結部が目視できるか否かに拘らず接合の解除を認識させることができ、解除操作の確実性を高めつつより良い安心感をユーザに与えることができる。更に、磁性体の磁力と突部の受容部への受容とによって各連結部における接合の確実化を図ることができる。また、２つの磁性体を磁着するだけで簡単に各連結部を接合でき、当該磁着を解除し得る方向に各連結部を操作すれば接合の解除を容易に行うことができる。
【００１０】
本発明の装身具用留め具において、前記第１及び第２連結部は、前記受容部に受容される前記突部を中心として相対回転する操作で接合を解除可能に設けられていることが好ましい。この構成では、各連結部を相対回転させるべく留め具を折り曲げるような操作によって各連結部の接合を解除でき、その操作の容易化を図ることができる。
【００１１】
本発明の装身具用留め具において、前記第１連結部の磁性体と前記第２連結部の磁性体とは、前記長尺体の両端部を結ぶ方向と前記突部が前記磁性体を挟む方向とのそれぞれに直交する方向で引き合うように配置されていることが好ましい。この構成では、磁性体の磁力により第１及び第２連結部が離れる方向への相対変位を規制しつつ、上記の相対回転操作を行うことが可能となる。
【発明の効果】
【００１２】
本発明によれば、形状や製作工程の簡略化を図ることができ、接合の解除をより良く認識させることができる装身具用留め具を提供することが可能となる。
【図面の簡単な説明】
【００１３】
【図１】実施の形態に係る装身具用留め具をネックレスの留め具に適用したときの概略斜視図である。
【図２】上記装身具用留め具の概略斜視図である。
【図３】図３Ａは上記装身具用留め具の正面図、図３Ｂは上記装身具用留め具の平面図、図３Ｃは上記装身具用留め具の右側面図である。
【図４】装身具用留め具の概略分解斜視図である。
【図５】図５Ａは各連結部の正面図、図５Ｂは各連結部の平面図、図５Ｃは各連結部の左側面図である。
【図６】図６Ａから図６Ｃは、第１の方法による各連結部の接合解除を説明するための概略斜視図である。
【図７】図７Ａから図７Ｃは、第１の方法による各連結部の接合解除を説明するための平面図である。
【図８】第２の方法による各連結部の接合解除を説明するための正面図である。
【図９】第３の方法による各連結部の接合解除を説明するための正面図である。
【図１０】第４の方法による各連結部の接合解除を説明するための正面図である。
【図１１】変形例に係る装身具用留め具の正面図である。
【発明を実施するための形態】
【００１４】
本発明の実施の形態について添付図面を参照して詳細に説明する。なお、以下の実施の形態では装身具の一例としてネックレスを示しているが、本発明の適用対象となる装身具はネックレスに限定されるものではない。例えば、ブレスレットやアンクレット等のループ状に形成される装身具に適用してもよい。
【００１５】
図１は、実施の形態に係る装身具用留め具をネックレスの留め具に適用したときの概略斜視図である。図１に示すように、装身具用留め具１（以下、「留め具１」とする）は、ネックレスとなるチェーン（長尺体）２の両端部を着脱自在に連結するものである。留め具１は、チェーン２の両端部を連結することで、チェーン２をループ状に形成する。その一方、留め具１での連結を解除することで、チェーン２によるループが開放された状態となる。チェーン２は、本実施の形態では、金、銀、プラチナ、真鍮などの金属で形成されている。
【００１６】
チェーン２には、留め具１と対向する位置に宝飾体３が取り付けられている。宝飾体３は、チェーン２と同様の金属で形成された矩形状の台座４と、その前面に取り付けられた宝石５とを備えている。なお、台座４は、図示した形状に限定されるものではなく、円、楕円形、星形またはクロス等どのような形状としてもよい。また、チェーン２に宝飾体３を取り付けないネックレスでも、留め具１を適用可能である。
【００１７】
次に、留め具１の構造について説明する。なお、以下の説明において、説明の便宜上、特に明示しない限り、「上」、「下」、「左」、「右」、「前」、「後」は、各図において矢印で示した方向を基準として用いる。
【００１８】
留め具１は、チェーン２の一端部に設けられた第１連結部１０と、チェーン２の他端部に設けられた第２連結部２０とを備えて構成されている。第１連結部１０に対し、第２連結部２０は、後述する接合状態での向き及び磁性体の向きが異なる点を除いて、同様の構成とされる。従って、２体の連結部のうちの何れを第１連結部１０、第２連結部２０としてもよいが、説明の便宜上、図１の状態の留め具１を正面視した（前から後方へ見た）場合において、右下側を第１連結部１０、左上側を第２連結部２０とする。
【００１９】
図２は、装身具用留め具の概略斜視図である。図２に示すように、第１連結部１０及び第２連結部２０が接合した状態の留め具１の形状について、図３を参照して以下に説明する。図３Ａは装身具用留め具の正面図、図３Ｂは装身具用留め具の平面図、図３Ｃは装身具用留め具の右側面図である。
【００２０】
図３Ａに示すように、留め具１は、正面視で左右方向に長い概略楕円状に形成されている。より詳しくは、左右方向（長手方向）両端が半円状にそれぞれ形成され、半円状の両端を繋ぐ上下両端が左右方向と平行な直線状に形成されている。また、図３Ｂに示すように、留め具１は、平面視で左右方向に長い概略翼形に形成されている。より詳しくは、前端及び後端がそれぞれ円弧状に形成されて左右両端部で連なっている。そして、左右方向中央部が前後方向に最も膨出し、左右両側に向かって次第に細くなるように形成されている。更に、図３Ｃに示すように、留め具１は、側面視で概略円形状に形成されている。なお、本実施の形態に係る留め具１においては、正面図と対称に背面図が表れ、平面図と対称に底面図が表れ、右側面図と対称に左側面図が表れる。このように対称となる形状とすることでデザイン性を高めることができ、また、留め具１全体として、滑らかな曲面を多く採用して突出する部分をなくした美しいデザインとすることができる。
【００２１】
続いて、第１連結部１０の構成について以下に説明する。図４は、装身具用留め具の概略分解斜視図である。図５Ａは、図５Ａは第１連結部の正面図、図５Ｂは第１連結部の平面図、図５Ｃは第１連結部の左側面図である。図４に示すように、第１連結部１０は、円柱状の第１磁性体１１と、この第１磁性体１１を保持する第１主部１２を備えている。第１磁性体１１は、好ましくはネオジム磁石等の強力な磁石が用いられる。円柱状の第１磁性体１１の中心軸線は、上下方向に向けられており、下端側が第１主部１２に埋まるようにして固定されている。そして、第１磁性体１１は、第１連結部１０及び第２連結部２０が分離した状態で、軸線方向一端面すなわち上面が磁着面１１ａとして露出する。第１磁性体１１は、磁着面１１ａがＳ極及びＮ極の何れか一方の磁極となるよう磁力を発揮する。第１磁性体１１は、外周側で円筒状に形成された金属製のカバー１１ｂを含み、欠け等が生じないようにしている。
【００２２】
第１主部１２は、上述した留め具１の外周形状を形成するものであり、右端側にはチェーン２（図１参照）を連結するための穴１２ａが前後方向に貫通して形成されている。
【００２３】
図４及び図５に示すように、第１主部１２は、左端側が尖った形状となり、正面視で左端から右上がりに波形状をなす第１接合面１４を形成している。また、第１主部１２は、第１磁性体１１を収容する収容部１５を備えている。収容部１５は、第１接合面１４を凹ませて形成され、その内周面が第１磁性体１１の外周面となる円柱形状に沿って形成される。
【００２４】
第１接合面１４は、中間面１４ａ（図５Ｃでは不図示）を挟んで左側に位置する先端側斜面１４ｂと、右側に位置する基部側斜面１４ｃとを備えた形状に形成される。中間面１４ａは、上下及び前後方向に沿っており、第１主部１２の上下方向中央に形成されている。また、中間面１４ａは、第１磁性体１１及び収容部１５の前後両側にそれぞれ位置している。先端側斜面１４ｂは、中間面１４ａの上端に連なり、基部側斜面１４ｃは中間面１４ａの下端に連なっている。先端側斜面１４ｂ及び基部側斜面１４ｃは、平面視で略同じ形状となり、中間面１４ａを挟んで左右対称となる向きに形成されている（図５Ｂ参照）。
【００２５】
中間面１４ａの上下方向中央に、第１磁性体１１の上面となる磁着面１１ａが配置されている。従って、第１磁性体１１は、中間面１４ａより左側で先端側斜面１４ｂより埋まるようになり、中間面１４ａより右側で基部側斜面１４ｃより突出するようになる。
【００２６】
ここで、第１連結部１０において、第１磁性体１１を前後方向から挟む位置に一対の第１突部１６及び一対の第１受容部１７が形成される。各第１突部１６は、中間面１４ａと先端側斜面１４ｂと収容部１５の形成面とにより形成され、正面視で先端が尖った形状をなしている。各第１受容部１７は、第１突部１６の一部となる中間面１４ａと基部側斜面１４ｃと第１磁性体１１の外周面とにより形成される。
【００２７】
なお、第１連結部１０に対し、第２連結部２０は、上述したように同様の構成とされ、第２連結部２０の構成については、説明を省略又は簡略とするため、第１連結部における「第１」が名称に付された各構成の「第１」を「第２」に名称変更し、それ以外の構成の名称は、そのまま変更せずに用いる。また、第２連結部２０の構成についての符号は、第１連結部１０の符号の上一桁目の「１」を「２」に変更する。更に、図５において、第２連結部２０に対応する構成の符号については、第１連結部１０の符号に続いて括弧内に併記する。
【００２８】
図３Ａ及び図４に示すように、第２連結部２０の第２主部２２は、第１連結部１０の第１主部１２と同じ形状になっており、同一の成形型で成形することができ、加工費を抑えることができる。また、第２主部２２は、第１連結部１０及び第２連結部２０が接合した状態で、前後方向に延びる中心線に対して１８０°回転した向きとなり、左端側にチェーン２（図１参照）用の穴２２ａが形成される。また、第２磁性体２１の磁着面２１ａは、第１磁性体１１の磁着面１１ａと相互に引きあうようその極性が逆になるように固定されている。
【００２９】
ここにおいて、本実施の形態の左右方向は、各連結部１０、２０の接合状態で各穴１２ａ、２２ａを結ぶ方向であり、該穴１２ａ、２２ａに連結されるチェーン２（図１参照）の両端部を結ぶ方向となる。また、本実施の形態の上下方向は、左右方向に直交する方向であり、且つ、各磁性体１１、１２が相互に引き合う方向となる。そして、本実施の形態の前後方向は、上記した二方向に直交する方向となる。但し、本実施の形態での各構成の向きは、一例にすぎず、任意の向きに変更することができ、例えば、本実施の形態の左右方向をユーザから見て鉛直方向に向けて留め具１を使用してもよい。なお、本実施の形態では、説明の便宜上、各図に図示した方向にて各構成の説明を行う。
【００３０】
次いで、第１連結部１０と第２連結部２０との接合について説明する。図４に示す状態から第１連結部１０と第２連結部２０とを接合する場合、それらを指先で把持しながら、各接合面１４、２４を近付けて接触させる極めて簡単な操作を行えばよい。これにより、第１磁性体１１及び第２磁性体２１の各磁着面１１ａ、２１ａが接触又は近付き、その磁力によって相互に引き合うようになる。従って、第１連結部１０及び第２連結部２０が上下に離れる方向への相対変位が規制され、それらが相互に接合する接合状態となる。
【００３１】
この接合状態では、第１接合面１４及び第２接合面２４が面接触するようになって相互に嵌り合った状態になる（図３Ａ参照）。具体的には、第１連結部１０の第１突部１６が第２連結部２０の第２受容部２７に受容され、且つ、第２連結部２０の第２突部２６が第１連結部１０の第１受容部１７に受容される。これにより、第１連結部１０及び第２連結部２０の中間面１４ａ、２４ａが相互に面接触するようになり、第１連結部１０及び第２連結部２０が左右に離れる方向への相対変位が規制される。しかも、第１連結部１０及び第２連結部２０に左右に離れる方向の力が加わる程に各受容部２７、１７に各突部１６、１７がかみ合うようになり、接合状態の確実を図ることができる。また、前後の第１突部１６によって第２磁性体２１が挟まれ、且つ、前後の第２突部２６によって第１磁性体１１が挟まれるようになり、その挟む方向すなわち前後方向での第１連結部１０及び第２連結部２０の相対変位が規制される。なお、接合面１４、２４が面接触して各突部１６、２６が各受容部２７、１７に受容されることによって、第１連結部１０及び第２連結部２０が上下に近付く方向への相対変位も規制される。
【００３２】
なお、第１連結部１０及び第２連結部２０の接合状態では、第１連結部１０において第１磁性体１１の基部側斜面１４ｃから突出する部分が第２連結部２０の収容部２５内に収容される。これと共に、第２連結部２０において第２磁性体２１の基部側斜面２４ｃから突出する部分が第１連結部１０の収容部１５内に収容される。従って、これらの収容によっても、各連結部１０、２０の前後方向の相対変位と、左右に離れる方向への相対変位が規制される。
【００３３】
第１連結部１０及び第２連結部２０の接合状態では、第１接合面１４の先端側斜面１４ｂが第２接合面２４の基部側斜面２４ｃに面接触し、第１接合面１４の基部側斜面１４ｃが第２接合面２４の先端側斜面２４ｂに面接触する。ここで、これら斜面１４ｂ、１４ｃ、２４ｂ、２４ｃは、平面視で同じ形状となるので、上記のように面接触した状態でも、斜面１４ｂ、１４ｃ、２４ｂ、２４ｃの一部が部分的に突出せず、留め具１の外周面を滑らかな曲面や稜線によって形成することができる。これにより、シンプル且つ良好なデザイン性を発揮することができる。
【００３４】
続いて、図６及び図７を参照して、第１連結部１０及び第２連結部２０における接合の解除方法について説明する。解除方法は、以下に述べる第１〜第４の方法がある。なお、以下に説明する各解除方法は、一例にすぎず、無理なく接合を解除できる限りにおいて他の方法を採ってもよい。
【００３５】
［第１の方法］
図６Ａから図６Ｃは、第１の方法による各連結部の接合解除を説明するための概略斜視図である。図７Ａから図７Ｃは、第１の方法による各連結部の接合解除を説明するための平面図である。第１の方法を行う場合、図６Ａ及び図７Ａに示すように、第１連結部１０に対して第２連結部２０を相対回転させる。この場合、仮に第１連結部１０を変位しないようにすると、第２連結部２０の左端側を手前に変位するように回転させる（図６Ｂ及び図７Ａの二点鎖線参照）。この回転での回転中心位置は、相互に接触する後方の各突部１６、２６及び各受容部１７、２７となる。そして、図６Ｃ及び図７Ｂに示すように、各磁性体１１、１２による磁力に抗し、第２連結部２０の回転を更に継続すると、各連結部１０、２０は、回転中心となる後方の各突部１６、２６及び各受容部１７、２７だけで引っ掛かった状態となる。最終的には、図７Ｃに示すように、後方の各突部１６、２６及び各受容部１７、２７の引っ掛かりが解除され、各磁性体１１、１２による磁着も解除される。これにより、各接合面１４、２４が離反して第１連結部１０及び第２連結部２０における接合が解除される。
【００３６】
この接合が解除される瞬間においては、第２連結部２０を変位する操作力が加わりつつ、各磁性体１１、１２の磁力により引き合う力も同時に作用している。従って、各突部１６、２６及び各受容部１７、２７の引っ掛かりが磁力に抗して強制的に解除される。このため、第１突部１６及び第２受容部２７、第２突部２６及び第１受容部１７の接触状態のうち少なくとも一方が弾かれるように離れる。これにより、各連結部１０、２０を把持する指先（対象物）に瞬間的な衝撃が与えられ、引っ掛かりの解除によって「カチッ」、「パチッ」という感覚をユーザに付与することができる。ここにおいて、各突部１６、２６及び各受容部１７、２７によって衝撃付与部が構成される。
【００３７】
以上のように、上記第１の方法によれば、各連結部１０、２０を把持する指先（把持対象）に衝撃を与えて接合が解除された状態であることをユーザに認識させることができる。これにより、ユーザの首の後に留め具１が位置する等、留め具１を目視できない場合であっても接合の解除を認識可能となり、接合解除の確実性を高めることができる。この結果、各連結部１０、２０の接合を解除したものの、ユーザに接合が未解除であるとの不安感が生じ難くなり、ユーザへのストレス軽減を図ることができる。
【００３８】
また、上述した第２連結部２０を回転する操作は、各突部１６、２６及び各受容部１７、２７の位置で留め具１を折り曲げるような操作となる。これにより、接合解除時に瞬間的な衝撃が付与されることとも相俟ってユーザにより良い操作感を感じさせることができる。
【００３９】
［第２の方法］
図８は、第２の方法による各連結部の接合解除を説明するための正面図である。第２の方法を行う場合、図８に示すように、第１連結部１０に対し、上記第１の方法とは異なる方向に第２連結部２０を相対回転させる。この場合、仮に第１連結部１０を変位しないようにすると、第２連結部２０の左端側を上方に変位するように回転させる。これにより、第１磁性体１１の磁着面１１ａから第２磁性体２１の磁着面２１ａが離れるとともに、各受容部１７、２７から各突部１６、２６が抜け出して引っ掛かりが解除される。この結果、第２の方法においても、各突部１６、２６及び各受容部１７、２７の位置で留め具１を折り曲げるような操作によって、第１連結部１０及び第２連結部２０における接合を解除することができる。なお、第１の方法と第２の方法との中間となる方向で第１連結部１０及び第２連結部２０を相対回転させても、それらの接合を解除することができる。
【００４０】
［第３の方法］
図９は、第３の方法による各連結部の接合解除を説明するための正面図である。第３の方法を行う場合、図９に示すように、第１連結部１０に対し、上記第１、第２の方法とは異なる方向に第２連結部２０を相対回転させる。この場合、仮に第１連結部１０を変位しないようにすると、第２連結部２０を左右方向に延びる軸回りに回転させる。これにより、第１磁性体１１の磁着面１１ａから第２磁性体２１の磁着面２１ａが離れるとともに、各受容部１７、２７から各突部１６、２６が抜け出して引っ掛かりが解除される。このような捩じり操作によっても第１連結部１０及び第２連結部２０における接合が解除される。
【００４１】
上記第１〜第３の方法では、第１連結部１０に対して第２連結部２０を相対回転させているが、その回転の軸方向がそれぞれ異なっている。第１の方法では上下方向に延びる軸回り、第２の方法では前後方向に延びる軸回り、第３の方法では左右方向に延びる軸回りに相対回転させている。つまり、本実施の形態では、直交三軸周りの何れの回転方向にも各連結部１０、２０を回転操作しても接合を解除でき、解除するための操作性を向上することができる。
【００４２】
［第４の方法］
図１０は、第４の方法による各連結部の接合解除を説明するための正面図である。第４の方法を行う場合、図１０に示すように、第１連結部１０の左端と第２連結部２０の右端とが接近するように押し込み操作させる。この操作によって、第１接合面１４の先端側斜面１４ｂと第２接合面２４の基部側斜面２４ｃとが滑り合い、且つ、第１接合面１４の基部側斜面１４ｃと第２接合面２４の先端側斜面２４ｂとが滑り合って第１連結部１０及び第２連結部２０の中間面１４ａ、２４ａが離れるようになる。これにより、第１磁性体１１及び第２磁性体２１の磁着面１１ａ、２１ａも離れ、第１連結部１０及び第２連結部２０における接合が解除される。上記第１〜第３の方法に加え、第４の方法によっても各連結部１０、２０の接合を解除でき、より一層接合解除を行い易くすることができる。
【００４３】
上記実施の形態によれば、各磁性体１１、２１や各突部１６、２６の外周面を利用して各受容部１７、２７が形成されるので、突部１６、２６を受容するためだけの受容部を形成する場合に比べ、各主部１２、２２をシンプルな形状とすることができる。これにより、各主部１２、２２の製作に要する作業負担や作業工程、工具を少なくできる上、作業時間を短くでき、生産性向上を図ることができる。
【００４４】
また、上記実施の形態では、各磁性体１１、２１によって上下方向に引き合うので、左右方向に引き合う構成に比べ、各連結部１０、２０が上下に離れることをより良く規制でき、各連結部１０、２０の接合状態を安定して維持することができる。しかも、上述のように各連結部１０、２０を相対回転する操作を容易に行うことが可能となる。
【００４５】
また、上記実施の形態において、添付図面に図示されている大きさや形状、方向などについては、これに限定されず、本発明の効果を発揮する範囲内で適宜変更することが可能である。その他、本発明は、その目的とする範囲を逸脱しない限りにおいて適宜変更して実施することが可能である。
【００４６】
例えば、上記実施の形態では、長尺体をチェーン２としたが、ループを形成したり解除したりできる限りにおいて、他の紐状部材や帯状部材としてもよく、材質も金属以外の繊維や皮、合成皮革としてもよい。
【００４７】
また、第１主部１２及び第２主部２２の材質は、チェーン２と同様の材質によって形成してもよいし、他の材質（例えば樹脂等）で形成してもよい。
【００４８】
また、第１主部１２及び第２主部２２を形成する稜線部分は、面取り形状としたり円弧状に丸めた形状としたりしてもよく、これに応じて、上記接合解除の回転操作における回転中心位置が図示した位置よりずれたものであってもよい。
【００４９】
また、上記第１の方法において、各連結部１０、２０の接合の解除するための相対回転操作は、図６Ａに示す状態から第２連結部２０の左端側を後方に変位するように回転してもよい。更には、第２連結部２０を変位しないようにし、第１連結部１０の右端側を手前又は後方に変位するように回転したり、第１連結部１０の右端側及び第２連結部２０の左端側の両方を手前又は後方に変位するように相対回転してもよい。このような操作によっても、上述と同様にして把持する指に瞬間的な衝撃を付与することができる。更に、第２及び第３の方法においても、上記と同様に各連結部１０、２０の接合を解除できる限りにおいて、変位の方向等を変更してもよい。
【００５０】
また、第１磁性体１１及び第２磁性体２１の何れか一方を磁石ではなく単独では磁力を発揮しない金属等とし、何れか他方が帯びた磁力によって各磁性体１１、１２が相互に磁着するようにしてもよい。
【００５１】
また、図１１に示す変形例のように、各連結部１０、２０を接合した状態において、第１磁性体１１及び第２磁性体２１の各磁着面１１ａ、２１ａが左右方向にずれた状態で対向するようにしてもよい。このずれ量は、磁着面１１ａ、２１ａの半径寸法より小さく設定される。このように各磁性体１１、１２をずらすことで、中間面１４ａ、２４ａが相互に押し合う磁力も発揮させることができ、接合状態の確実性を高めることができる。
【産業上の利用可能性】
【００５２】
本発明は、ネックレスやブレスレット等、ループ状に形成したり該ループを開放したりする装身具に有用である。
【符号の説明】
【００５３】
１  留め具（装身具用留め具）
２  チェーン（長尺体）
１０  第１連結部
１１  第１磁性体（磁性体）
１６  第１突部（突部）
１７  第１受容部（受容部）
２０  第２連結部
２１  第２磁性体（磁性体）
２６  第２突部（突部）
２７  第２受容部（受容部）
【図１】
2017086407.tif 000003
【図２】
2017086407.tif 000004
【図３】
2017086407.tif 000005
【図４】
2017086407.tif 000006
【図５】
2017086407.tif 000007
【図６】
2017086407.tif 000008
【図７】
2017086407.tif 000009
【図８】
2017086407.tif 000010
【図９】
2017086407.tif 000011
【図１０】
2017086407.tif 000012
【図１１】
2017086407.tif 000013